(57)【特許請求の範囲】
【請求項１】
正面略円形のブザーを収めた筐体に、当該ブザーの音を当該筐体の外部に放音するための複数の音響孔からなる音響孔群を複数設けて構成されたブザーの放音構造であって、
上記複数の音響孔群を、前記ブザーの半径方向及び前記ブザーの周方向において相互に非連続する位置に配置し、
上記各音響孔群に含まれる複数の音響孔の一部を、上記筐体における、上記ブザーの外縁を中心とする一定幅の環状の領域に対応する領域内に、当該ブザーの外縁に対向するように設けたこと、
を特徴とするブザーの放音構造。
【請求項２】
上記各音響孔群の複数の音響孔を、上記ブザーの外縁に対応する位置に至るにつれ大径状にしたこと、
を特徴とする請求項１に記載のブザーの放音構造。
【請求項３】
上記各音響孔群の複数の音響孔を、上記ブザーの外縁に対応する位置に至るにつれ小径状にしたこと、
を特徴とする請求項１に記載のブザーの放音構造。
【請求項４】
上記各音響孔群の複数の音響孔の全部を、上記ブザーの外縁を中心とする一定幅の環状の領域に対応する位置のみに設けた、
請求項１から３のいずれか一項に記載のブザーの放音構造。
【発明の詳細な説明】
【０００１】
【発明の属する技術分野】
本発明は、火災受信盤等において警報等を行うためブザーの放音構造に関し、特に、ブザーの音圧を向上させるための構造に特徴を有するブザーの放音構造に関する。
【０００２】
【従来の技術】
今日では、警報等を行うため各種のブザーが、様々な分野において広く利用されている。例えば、火災を検知するための火災検知器からの信号を監視等する火災受信盤にも、ブザーが設けられている。
このようなブザーは、筐体の内部に収められていることが多いため、当該ブザーの音を当該筐体の外部に放音するための放音構造を設けることが必要になる。
この放音構造としては、筐体におけるブザーの正面中央位置に、複数の音響孔を設ける構造が最も一般的である。
【０００３】
ここで、火災報知を目的とするブザーについては、消防法上、一定値以上の音圧（具体的には、８５ｄＢ以上の音圧）を確保することが義務付けられている。
しかしながら、設備コストを低減するために単一周波数のブザーが用いられることが増えてきており、このようなブザーは周囲環境に対する抵抗力が弱いため、周囲環境に応じて大きく音圧がばらついてしまうという問題がある。
【０００４】
このような問題を解決するため、従来から、下記のような構造が提案されている。
まず、第１は、ヘルムホルツの共鳴効果を利用する構造を挙げることができる。この構造では、ブザーの正面に放射状の共鳴壁を設けることにより、音圧の向上を図ることができる。
あるいは、放音経路を広げる構造、例えば、音響孔を大きくしたり、音響孔の数を増やしたり、筐体の側面にスリット等を設けることも考えられる。
【０００５】
【発明が解決しようとする課題】
しかしながら、ヘルムホルツの共鳴効果を利用する構造においては、放射状の共鳴壁を設けるために、ブザーの周辺に大きなスペースが必要になり、機器の小型化が進展する今日においては、この構造を採用することは困難である。
また、放音経路を広げる構造は、防虫性、防水性、防犯性、および、構造強度をいずれも低下させることになるため、やはり採用することが困難である。
【０００６】
本発明は上記問題に鑑みてなされたもので、各種の性能低下を招くことがなく、少スペースで、ブザーの音圧を向上させること等ができる、ブザーの放音構造を提供することを目的とする。
【０００７】
【課題を解決するための手段】
このような目的を達成するため、請求項１に記載のブザーの放音構造は、正面略円形のブザーを収めた筐体に、当該ブザーの音を当該筐体の外部に放音するための複数の音響孔からなる音響孔群を複数設けて構成されたブザーの放音構造であって、上記複数の音響孔群を、前記ブザーの半径方向及び前記ブザーの周方向において相互に非連続する位置に配置し、上記各音響孔群に含まれる複数の音響孔の一部を、上記筐体における、上記ブザーの外縁を中心とする一定幅の環状の領域に対応する領域内に、当該ブザーの外縁に対向するように設けたことを特徴とする。
【０００８】
この構造によれば、ブザーの音圧が最も高い正面周辺領域に音響孔が設けられており、操作パネルの内部空間で共鳴して放音されるので、ブザーの音圧を増幅することができる。特に、この場合には、音響孔の径や数自体は、従来と同様に構成することができるので、防虫性、防水性、防犯性、および、構造強度をいずれも低下させることがない。
【０００９】
また、請求項２に記載のブザーの放音構造は、請求項１に記載のブザーの放音構造において、上記各音響孔群の複数の音響孔を、上記ブザーの外縁に対応する位置に至るにつれ大径状にしたことを特徴とする。また、請求項３に記載のブザーの放音構造は、請求項１に記載のブザーの放音構造において、上記各音響孔群の複数の音響孔を、上記ブザーの外縁に対応する位置に至るにつれ小径状にしたことを特徴とする。
【００１０】
この構造によれば、音圧の分布に対応して音響孔の口径を変えることにより、各位置において最も効率のよい放音を行うことができる。また、正面周辺位置に近い音響孔を小径にし、正面周辺位置から遠い音響孔を大径にした場合には、全体として均一な音圧で放音を行うことができる。
【００１１】
請求項４に記載のブザーの放音構造は、請求項１から３のいずれか一項に記載のブザーの放音構造において、上記各音響孔群の複数の音響孔の全部を、上記ブザーの外縁を中心とする一定幅の環状の領域に対応する位置のみに設けた。
【００１７】
【発明の実施の形態】
以下に、本発明にかかるブザーの放音構造の実施の形態を図面に基づいて詳細に説明する。この実施の形態においては、本構造を、火災を検知するための火災検知器からの信号を監視等する火災受信盤に設けた例について説明する。なお、この実施の形態により本発明が限定されるものではない。
【００１８】
（実施の形態１）
まず、実施の形態１について説明する。
この形態は、概略的に、音響孔をブザーの正面周辺位置に設けたブザーの放音構造に関するものである。
この構造を適用した火災受信盤の全体斜視図を図１、正面図を図２（ａ）、Ａ−Ａ矢視縦断面図を図２（ｂ）に示す。
【００１９】
これら図１、２に示すように、火災受信盤１は、略方形の筐体２の内部に、基板３と、正面形状を略円形とするブザー４とを備えて構成されている。
このうち、筐体２の正面には、扉部５が開閉自在に設けられており、この扉部５には各種の表示灯６や操作スイッチ７が設けられている。
また、基板３には、図示しない制御部が設けられており、この制御部は、表示灯６や操作スイッチ７は基板３に電気的に接続されており、操作スイッチ７が操作された際の信号や、図示しない火災検知器からの信号等に基づいて、表示灯６の制御やブザーのＯＮ／ＯＦＦを行う。
また、ブザー４は、単一周波数ブザーであり、正面略円形に形成されており、上記基板３に電気的に接続されて、上記制御部の制御によってＯＮ／ＯＦＦされる。
【００２０】
ここで、筐体２の扉部５には、複数の音響孔１０が設けられている。これら各音響孔１０は、図２（ｂ）に特に明確に示すように、筐体２を貫通するように形成されており、ブザー４から発せられた音を筐体２の外部に放音する。
特に、これら音響孔１０は、ブザーの４正面周辺位置に設けられている。この音響孔１０の位置は、音圧が最も高い位置に対応している。
【００２１】
以下、この音圧の位置関係について説明する。図３は、ブザー４と音との相対位置関係を示す概念図である。この図３には、ブザー４の外形Ｓ１と、この外形Ｓ１を中心として一定幅の環状に形成された正面周辺領域Ｅ１と、この正面周辺領域Ｅ１に対する内側領域Ｅ２と外側領域Ｅ３とを示している。ここで、一般には、ブザー４の中心に近い内側領域Ｅ２において音圧が最も高いと思われているが、本件出願人による実験等によれば、正面周辺領域Ｅ１において音圧が最も高いという結果が得られた。
【００２２】
そこで、本実施の形態においては、図１、２に示すように、正面周辺領域Ｅ１に対応する位置に音響孔１０を設けることにより、ブザー４の音圧を向上させている。
ただし、必ずしも全ての音響孔１０を正面周辺領域Ｅ１に配置する必要はなく、少なくとも音響孔１０の一部が正面周辺領域Ｅ１に配置されていれば、音圧向上効果を得ることができる。
【００２３】
また、本実施の形態においては、複数の音響孔１０を、複数個毎に分散配置している。すなわち、図１、２に示すように、複数の音響孔１０は、左右に一定距離を隔てて並設された、第１のグループの音響孔１０Ａと、第２のグループの音響孔１０Ｂとに分散されている。これら各グループの音響孔１０Ａ、１０Ｂは、それぞれが上記の正面周辺領域Ｅ１に配置されており、音圧向上効果を効率的に得ることができる。
なお、本実施の形態においては、第１のグループと第２のグループとを左右に並設させているが、これはブザーの上下に表示灯６や操作スイッチ７があることとの兼ね合い上の結果であり、このような考慮をする必要がない場合には、上記正面周辺領域Ｅ１のいずれの方向に分散配置してもよい。
【００２４】
また、本実施の形態においては、第１のグループと第２のグループのそれぞれの音響孔１０Ａ、１０Ｂを、上記ブザーの正面周辺位置に至るにつれ大径状にしている。例えば、図２（ａ）において、第１のグループの音響孔１０Ａのうち、最も正面周辺位置に近い音響孔１０Ａ１は、最も正面周辺位置から遠い音響孔１０Ａ２に比べて、大径に形成されている。このように、音圧の分布に対応して音響孔１０の口径を変えることにより、各位置において最も効率のよい放音を行うことができる。ただし、逆に、正面周辺位置に近い音響孔１０Ａ１を小径にし、正面周辺位置から遠い音響孔１０Ａ２を大径にすることにより、全体として均一な音圧で放音を行うこともできる。なお、音響孔１０の最大径は任意であるが、防水性、防虫性、防犯性、および、構造強度を低下させることがないように決定される。
【００２５】
（実施の形態２）
次に、実施の形態２について説明する。
この形態は、概略的に、音響孔の外部周辺に中空筒状の放音補助体を設けたブザーの放音構造に関するものである。
この構造を適用した火災受信盤の全体斜視図を図４、正面図を図５（ａ）、Ｂ−Ｂ矢視縦断面図を図５（ｂ）に示す。
なお、本実施の形態において、特に説明なき構造については実施の形態１と同じであり、実施の形態１と同じ構成要素については、実施の形態１と同じ符号で示する。
【００２６】
これら図４、５に示すように、火災受信盤１の筐体２の扉部５には、複数の音響孔２０が設けられている。この音響孔２０は、実施の形態１の音響孔とは異なり、ブザー４の内側領域Ｅ２に設けられている。
また、扉部５の外側面には、放音補助体３０が設けられている。この放音補助体３０は、図示のように音響孔２０側から外部側に沿った中空筒状に形成されており、その内径に上記複数の音響孔２０が略全て収まるように形成されている。
したがって、音響孔２０を介して放射状に放音された音は、この放音補助体３０の内部に入り、この放音補助体３０の内部で共鳴して、外部に放音される。そして、この共鳴時に音が増幅され、音圧が向上する。
【００２７】
図５（ｂ）に示すように、この放音補助体３０の突出長さＬ１は、音圧の増幅効果と、火災受信盤１の設置スペース等を考慮して決定することができる。特に、筐体２には窪み長Ｌ２の凹部２ａが設けられており、この凹部２ａに扉部５が配置されている。そして、より好ましくは、放音補助体３０は、突出長さＬ１が窪み長Ｌ２にほぼ等しくなるように形成されている。このため、放音補助体３０を、火災受信盤から突出しない範囲で最大限に長くすることができ、音圧の増幅効果を最大限に得ることができる。
【００２８】
なお、この放音補助体３０は、必ずしも図示の如き形状でなくてもよく、例えば、若干放射状に形成してもよい。また、その個数については１つに限られず、例えば、実施の形態１のように複数グループに分散配置された音響孔がある場合には、各グループ毎に放音補助体３０を設けてもよい。
【００２９】
（実施の形態３）
最後に、実施の形態３について説明する。
この形態は、概略的に、音響孔の外部周辺にテーブル状の放音補助体を設けたブザーの放音構造に関するものである。
この構造を適用した火災受信盤の全体斜視図を図６、正面図を図７（ａ）、Ｃ−Ｃ矢視縦断面図を図７（ｂ）に示す。
なお、本実施の形態において、特に説明なき構造については実施の形態１と同じであり、実施の形態１と同じ構成要素については、実施の形態１と同じ符号で示する。
【００３０】
これら図６、７に示すように、火災受信盤１の筐体２の扉部５には、複数の音響孔４０が設けられている。この音響孔４０は、実施の形態１の音響孔とは異なり、ブザー４の内側領域Ｅ２に設けられている。
また、扉部５の外側面には、放音補助体５０が設けられている。この放音補助体５０は、図示のように、主板５１と複数の支持脚５２とを備えて構成されている。このうち、主板５１は、扉部５に略沿った円形板状に形成されており、その内径に上記複数の音響孔４０が略全て収まるように形成されている。また、各支持脚５２は、扉部５から外側に立設されて主板５１を支持している。この複数の支持脚５２は、相互に所定間隔を隔てて配置されているので、音響孔４０を介して放音された音は、主板５１と操作パネル（扉部５）との間で共鳴して、複数の支持脚５２の相互間を介して外部に放音される。そして、この共鳴時に音が増幅され、音圧が向上する。
【００３１】
図７（ｂ）に示すように、この放音補助体５０の突出長さＬ３は、音圧の増幅効果と、火災受信盤１の設置スペース等を考慮して決定することができる。より好ましくは、放音補助体５０は、突出長さＬ３が窪み長Ｌ２にほぼ等しくなるように形成されている。このため、放音補助体５０を、火災受信盤１から突出しない場合で最大限に長くすることができ、音圧の増幅効果を最大限に得ることができる。
【００３２】
なお、この放音補助体５０は、必ずしも図示の如き形状でなくてもよく、例えば、主板５１を方形板状に形成することもできる。また、その個数については１つに限られず、例えば、実施の形態１のように音響孔４０が複数のグループに分散配置されている場合には、各グループ毎に放音補助体５０を設けてもよい。
【００３３】
（他の実施の形態）
さて、これまで本発明の実施の形態について説明したが、本発明は、上述した実施の形態以外にも、上記特許請求の範囲に記載した技術的思想の範囲内において種々の異なる実施の形態にて実施されてよいものである。
例えば、上記実施の形態においては、火災受信盤１に設けたブザー４の放音構造を例にとって説明したが、本構造は、任意の場所に任意の目的で設置されるブザーの放音構造として、適用することができるものである。また、単一周波数のブザー４に限られることなく、任意方式のブザーの放音構造として、同様に適用することができる。
また、上記文書中や図面中で示した具体的名称、形状、構造、組み合わせ、材質、数量については、特記する場合を除いて任意に変更することができる。
【００３４】
【発明の効果】
以上に説明したように、本発明によれば、ブザーの音圧が最も高い正面周辺領域に音響孔が設けられており、操作パネルの内部空間で共鳴して放音されるので、ブザーの音圧を増幅することができる。特に、この場合には、音響孔の径や数自体は、従来と同様に構成することができるので、防虫性、防水性、防犯性、および、構造強度をいずれも低下させることがない。
【００３５】
また、本発明によれば、音圧の分布に対応して音響孔の口径を変えることにより、各位置において最も効率のよい放音を行うことができる。また、正面周辺位置に近い音響孔を小径にし、正面周辺位置から遠い音響孔を大径にした場合には、全体として均一な音圧で放音を行うことができる。
【００３６】
また、本発明によれば、音響孔を介して放音された音が、放音補助体で増幅されるので、音圧が向上する。特に、この場合には、音響孔の径や数自体は、従来と同様に構成することができるので、防虫性、防水性、防犯性、および、構造強度をいずれも低下させることがない。
【００３７】
また、本発明によれば、音響孔を介して放射状に放音された音が、この放音補助体の内部に入り、この放音補助体の内部で共鳴して、外部に放音される。そして、この共鳴時に音が増幅され、音圧が向上する。
【００３８】
また、本発明によれば、音響孔を介して放音された音が、主板と操作パネルとの間で共鳴し、複数の支持脚の相互間を介して外部に放音される。そして、この共鳴時に音が増幅され、音圧が向上する。
【図面の簡単な説明】
【図１】本発明の実施の形態１におけるブザーの放音構造を適用した火災受信盤の全体斜視図である。
【図２】（ａ）は火災受信盤の正面図、（ｂ）は（ａ）のＡ−Ａ矢視縦断面図である。
【図３】ブザーと音との相対位置関係を示す概念図である。
【図４】本発明の実施の形態２におけるブザーの放音構造を適用した火災受信盤の全体斜視図である。
【図５】（ａ）は火災受信盤の正面図、（ｂ）は（ａ）のＢ−Ｂ矢視縦断面図である。
【図６】本発明の実施の形態３におけるブザーの放音構造を適用した火災受信盤の全体斜視図である。
【図７】（ａ）は火災受信盤の正面図、（ｂ）は（ａ）のＣ−Ｃ矢視縦断面図である。
【符号の説明】
１  火災受信盤
２  筐体
２ａ  凹部
３  基板
４  ブザー
５  扉部
６  表示灯
７  操作スイッチ
１０、２０、４０  音響孔
３０、５０  放音補助体
５１  主板
５２  支持脚
【図１】
0004550993.tif 000002
【図２】
0004550993.tif 000003
【図３】
0004550993.tif 000004
【図４】
0004550993.tif 000005
【図５】
0004550993.tif 000006
【図６】
0004550993.tif 000007
【図７】
0004550993.tif 000008